(57)【要約】      （修正有）【課題】波型仕切りの波型を経済的にしかも簡易に保形し、製函作業と商品の詰め作業を合理化することができる保形波型仕切りを提供する。【解決手段】波型仕切りの本体を山折罫Ａ、谷折罫Ｂにより、連接させて作られる波型仕切りの、商品台１０，１１，１２の１部より山折罫Ａを介して商品枕部に向け舌片２を形成させ、谷折罫Ｂを介して掛かり止め部２ａに形成された掛かり止切片２０を隣接して掛かり止め部２ａの外側に作られる被掛かり止切片２２の枕部側基部２３に掛かり止めさせる。又は舌片２の掛かり止め機能を取り除いた舌片に谷折罫Ｂを介して設けた糊止め部を隣接する商品台に糊貼りする。【選択図】図２
0003157549.tif 000002
【実用新案登録請求の範囲】
【請求項１】
商品枕部に商品台、固定部を交互に連接させて山折り谷折りする事により作られる波型仕切りにおいて、商品枕部に接しない商品台の一部より枕部方向に向けて山折罫Ａを介し舌片２と掛かり止め部２ａを形成し、掛かり止め部２ａに形成された枕部から見て左右対称の掛かり止切片２０を掛かり止め部２ａの外側に作られる被掛かり止切片２２の枕側基部２３に掛かり止め固定し波型を保持する事が出来ることを特徴とする保形波型仕切り。
【請求項２】
前記商品台に形成した舌片２の切線に連接して谷折罫を介して連接固定部にまたがり何れも枕部から見て左右対象なハの字の切線を設け、ハの字の先端２１より略台形の切線により掛かり止め切片２０を形成、当該切片に連接する上下方向の切線とさらに連接し頂点を当該固定部の谷折り罫の直近部に配した略三角形の切線により、掛かり止め部２ａの外側に逆略台形の被掛かり止め切片２２を形成し左右の略三角部の枕側部端点を切線にて結び掛かり止め部２ａ形成させて、波型仕切り本体を山折り谷折りする事により商品台と隣接する固定台及び当該固定台を挟んで隣接する商品台をＺ折りし、ハの字の切線と左右の略台形の掛止め切片２０の交点２１を、隣接外側左右に作られた上記被掛かり止め切片２２の枕側基部２３に掛かり止めさせる事により波型を保持する事が出来ることを特徴とする請求項１記載の保形波型仕切り。
【請求項３】
前記商品台の１部より山折罫を介して隣接する舌片に谷折罫を介して連設する糊止め部を固定部を介して隣接する商品台に糊貼りする事により波型を保持することが出来ることを特徴とする保形波型仕切り。
【考案の詳細な説明】
【技術分野】
【０００１】本考案は、主として菓子、食品、雑貨等を出来るだけ商品等を見せながら固定する為の波形仕切りに関するものである。
【背景技術】
【０００２】通常波型仕切りは贈答品等の仕切りとして用いられ、菓子、食品メーカー、販売店等で、使用されている。【０００３】通常の波型仕切りは、コストを下げる為板紙で作られることが多いが、波型の形状を保つために図５に示した様な方法又は特許文献１のような方法が取られていることが多い。
【先行技術文献】
【特許文献】
【０００４】
【特許文献１】特開２０００−１８５７３０号公報
【特許文献２】登録実用新案３０５９０６０号公報
【特許文献３】特開２００１−１４６２３０号公報
【考案の概要】
【考案が解決しようとする課題】
【０００５】波型仕切りは商品を出来るだけ、見せながら固定する仕切りとして贈答品等の包装に広く用いられているが波型を確実に固定する事が、難しく特許文献１、２のように補助的な部分を必要とするため、無駄なコストが掛かっている。【０００６】特許文献３は仕切りとして無駄な部分がなく作業性も良いが、商品と商品の間に空間を必要としたり、強度の点で不安がある事が多く場合によっては、プラスチックで作られることもある。
【課題を解決するための手段】
【０００７】本考案は、波型仕切りの商品台から山折罫Ａを介し舌片２と掛かり止め部２ａを作り、それにより作られる掛かり止切片２０を連接して作られる被掛かり止切片２２の枕部側基部２３に掛かり止め固定するか、又は長方形もしくは台形等の舌片３の糊止め部３ａを固定部を介して隣接する商品台に貼り付ける事により波型仕切りを保型して、作業性良く使用できるものである。
【考案の効果】
【０００８】本考案による保形波型仕切りは、必要最小限の材料の中で保形機能を持つ舌片２又は３を作る為材料の無駄がなく、組み立て方法が簡易であり、製函作業、商品の箱詰め作業の合理化が出来る。【０００９】舌片２掛かり止め部２ａで出来る穴は小さく殆どの場合その仕切りとしての機能に問題なく、又商品により隠れる部分に配置する事により、贈答品としての価値を損なうこともなく強度もある保形波型仕切りを安価で提供できる。
【図面の簡単な説明】
【００１０】
【図１】（Ｉ）は本考案の保形波型仕切りの一例の展開図で（ＩＩ）はその掛かり止め部の拡大図である。
【図２】（Ｉ）は本図１の実施後の形を示したイメージ図で（ＩＩ）はその掛かり止め部のイメージの拡大図ある。
【図３】（Ｉ）は本考案の糊貼りタイプの一例の展開図で（ＩＩ）は本考案実施後の斜視図である。
【図４】図１の保形波型仕切りを箱内に載置した図である。
【図５】（Ｉ）は波型仕切りを保形させるために、一般に使用されている方法の展開図であり（ＩＩ）はその保形過程の斜視図である。
【考案を実施するための形態】
【００１１】以下本考案の実施する形態を添付図面に基づき説明する。
図１（Ｉ）は保形波型仕切り本体１の展開図であり、板紙又は薄い厚さのダンボールで作られている。（ＩＩ）は舌片２と掛かり止め部２ａの拡大図である。
【実施例】
【００１２】図１（ＩＩ）の舌片２はＡ部より山折されＢ部で谷折され掛かり止め部２ａに掛かり止め切片２０被掛かり止め切片２２を有し枕部側から見て左右対称である。【００１３】掛かり止め部２ａの基部寸法Ｘ５と掛かり止め切片２０の外寸Ｘ１及びハの字の切線との交点２１間の寸法Ｘ２及び被掛かり止め切片２２の枕部側基部２３間の寸法Ｘ３掛かり止め切片２２間の寸法Ｘ４は、次のように設定されている。
Ｘ１＞Ｘ３  Ｘ３＞Ｘ２  Ｘ２＞Ｘ４  Ｘ４＞Ｘ５。【００１４】図２は本考案の実施例であり、本体１及び舌片２，掛かり止め部２ａはＡ部で山折されＢ部で谷折りする。【００１５】商品台１０を舌片２が商品台１０面より下がらないように保ちつつ隣接する固定部１５を介してＺ折し商品台１１の上に重ね係り止め部２ａを軽く商品台１１に圧着しつつ固定部１５を引き起こす。【００１６】上記作業を行うことにより掛かり止め部２ａの掛かり止切片２０により形成される基点２１が、当該掛かり止切片２０に連接する被掛かり止め切片２２の枕部側基部２３に掛かり止めされる事により商品台１０，１１は固定部１５を介して波型が保形されるものである。【００１７】なお（００１５項）で説明した作業方法は，一例であり寸法によっては不都合な場合もあるので（００１６項）の結果が得られる様、種々の方法を取ることが出来る。【００１８】上記作業を繰り返す事により必要数の波形をつくり、また場合によっては全部の商品台を保形する必要がない場合もありうるものである。【００１９】図３は、糊貼りタイプの保形波型仕切りであり、本体１と舌片３及び糊止め部３ａは罫Ａで山折し罫Ｂで谷折する。商品台１０、１１、１２に罫Ａを介して作られる舌片３の谷折罫Ｂを介して連接する糊止め部３ａを固定部１５、１６、１７を介してそれぞれ隣接する商品台１１、１２、１３に糊貼りする事により保形するものであり本考案品の製造を機械化する際、有効である。【００２０】図４は、本考案の保形波型仕切りを箱内に載接し使用時の形状に作り上げたものである。
【産業上の利用の可能性】
【００２１】本考案は贈答箱等を製造する紙器業界で利用される。
【符号の説明】
【００２２】１          波型仕切り本体
１０、１１、１２、１３  商品台
１５、１６、１７  固定部
１８        商品枕部
１９        商品台保形フラップ
２          舌片
２ａ        掛かり止め部
２０        掛かり止め切片
２１        係り止め切片２０とハの字切線の交点
２２        被掛かり止め切片
２３        被掛かり止め切片の枕部側基部
３          糊貼りタイプの舌片
３ａ        糊止め部
Ｘ１        枕部側から見て左右の掛かり止め切片２０間の外寸法
Ｘ２        同上左右の掛かり止め切片とハの字切線の交点２１間の寸法
Ｘ３        同上左右の被掛かり止め切片の枕部側基部２３間の寸法
Ｘ４        同上左右の被掛かり止め切片２２間の内寸法
Ｘ５        掛かり止部２ａの基点の寸法
Ａ          山折罫
Ｂ          谷折罫
【図１】
0003157549.tif 000003
【図２】
0003157549.tif 000004
【図３】
0003157549.tif 000005
【図４】
0003157549.tif 000006
【図５】
0003157549.tif 000007
【手続補正書】
【提出日】平成21年11月27日(2009.11.27)
【手続補正１】
【補正対象書類名】実用新案登録請求の範囲
【補正対象項目名】請求項３
【補正方法】変更
【補正の内容】
【請求項３】
前記商品台の１部より山折罫を介して隣接する舌片に谷折罫を介して連設する糊止め部を固定部を介して隣接する商品台に糊貼りする事により波型を保持することが出来ることを特徴とする請求項１記載の保形波型仕切